(57)【特許請求の範囲】
【請求項１】
メモ台が取り付けられるメモ台受けと椅子本体側に固定されて前記メモ台受けを回転可能に支持するアームとから成る椅子のメモ台取付構造において、前記メモ台受けあるいは前記アームのいずれか一方に間隔をあけて設けられた一方の受け部材及び回転止め部と、前記メモ台受けあるいはアームのいずれか他方に設けられて前記一方の受け部材と回転止め部の間に配置される他方の受け部材と、前記一方の受け部材と前記他方の受け部材を貫通してこれら一方の受け部材と他方の受け部材を挟むように締め付けるボルト及びナットと、前記回転止め部に設けられ且つ前記ボルトの頭部の側面又はナットの側面に当たって当該ボルト又はナットの前記メモ台受けに対する相対回転を阻止する当たり面を備え、前記回転止め部は前記ボルトの頭部又は前記ナットを軸方向に通り抜け可能としていることを特徴とする椅子のメモ台取付構造。
【請求項２】
前記メモ台受けと前記アームの対向する位置のいずれか一方に凹部をいずれか他方に前記凹部内に突出する凸部を設け、当該凸部が前記凹部内で相対移動できる範囲で前記メモ台受けを前記アームに対して回転可能にすると共に前記凹部の両端に前記凸部が当接して係止されるストッパ部を設ける一方、前記一方の受け部材及び回転止め部の間に前記凹部及び凸部を隠す周壁を設けたことを特徴とする請求項１記載の椅子のメモ台取付構造。
【発明の詳細な説明】
【０００１】
【発明の属する技術分野】
本発明は、椅子のメモ台取付構造に関する。更に詳述すると、本発明は椅子本体に固定したアームの先端にメモ台を回転可能に取り付ける椅子のメモ台取付構造に関する。
【０００２】
【従来の技術】
メモ台を備えた椅子のなかにはメモ台を上方に跳ね上げることが出来るようにしたものがある。従来の跳ね上げ可能なメモ台の取付構造を図７〜図９に示す。メモ台１０２の裏面に取り付けられたメモ台受け１０３には一対のブラケット１０４が設けられており、これらブラケット１０４の間に図示しない椅子本体側に固定されたアーム１０５の先端のボス状の受け部材１０１を配置し、並んで突き出たブラケット１０４，１０４とアーム１０５の先端にボルト１０６を通してナット１０７で締め付けるようにしている。アーム１０５の先端近傍には平坦なメモ台受け面１０５ａが形成されており、この受け面１０５ａでメモ台１０２を支えることによりメモ台１０２を水平に保持するように設けられている。
【０００３】
【発明が解決しようとする課題】
しかしながら、上述のメモ台取付構造では、メモ台受け１０３の各ブラケット１０４間にアーム１０５の先端の受け部材１０１を配置すると共に、両ブラケット１０４を介してその外側から挟み付けるようにしてボルト１０６及びナット１０７を締め付けているので、ボルト１０６とナット１０７を強く締め付けていてもメモ台１０２が回転する度にボルト１０６とナット１０７との間に弛みが生じ、勢い良くメモ台１０２が倒れて大きな音を出してしまうようになるという問題がある。また、上述のメモ台取付構造では、メモ台１０２の回転を制限してメモ台１０２を水平状態で支える受け面１０５ａが露出しているため、メモ台１０２の支持を安定させるために受け面１０５ａを大きくしたり、故意に指などを差し込まれた場合に、メモ台１０２と受け面１０５ａとの間で指などを挟んでしまう虞がある。
【０００４】
本発明は、メモ台の天板が勢い良く倒れるのを防止することができると共に、天板の回転角を制限する部分を隠すことができる椅子のメモ台取付構造を提供することを目的とする。
【０００５】
【課題を解決するための手段】
かかる目的を達成するために請求項１記載の発明は、メモ台が取り付けられるメモ台受けと椅子本体側に固定されて前記メモ台受けを回転可能に支持するアームとから成る椅子のメモ台取付構造において、前記メモ台受けあるいは前記アームのいずれか一方に間隔をあけて設けられた一方の受け部材及び回転止め部と、前記メモ台受けあるいはアームのいずれか他方に設けられて前記一方の受け部材と回転止め部の間に配置される他方の受け部材と、前記一方の受け部材と前記他方の受け部材を貫通してこれら一方の受け部材と他方の受け部材を挟むように締め付けるボルト及びナットと、前記回転止め部に設けられ且つ前記ボルトの頭部の側面又はナットの側面に当たって当該ボルト又はナットの前記メモ台受けに対する相対回転を阻止する当たり面を備え、前記回転止め部は前記ボルトの頭部又は前記ナットを軸方向に通り抜け可能としている。
【０００６】
したがって、一方の受け部材と他方の受け部材がボルトを中心に相対回転することで、アームに対してメモ台受けが回転する。一方の受け部材と他方の受け部材はボルト及びナットにより締め付けられているので、これらを強く締め付けると一方の受け部材と他方の受け部材の回転に対して大きな抵抗が発生し、振動等の外力によって天板が勢い良く倒れたり、ばた付いたりするのを防止できる。また、ボルトの頭部とナットのいずれか一方の側面が回転止め部の当たり面に当たってその回転を阻止されているので、また、いずれか他方は一方の受け部材に摩擦係合しながらこれを締め付けているので、ボルト及びナットは一方の受け部材及び回転止め部と一体的に回転する。このため、天板を上げたり倒してもボルトとナットが一体的に回転し、これらによる締め付けが緩むことがない。
【０００７】
更に、請求項２記載の椅子のメモ台取付構造のように、メモ台受けと前記アームの対向する位置のいずれか一方に凹部をいずれか他方に前記凹部内に突出する凸部を設け、当該凸部が前記凹部内で相対移動できる範囲で前記メモ台受けを前記アームに対して回転可能にすると共に前記凹部の両端に前記凸部が当接して係止されるストッパ部を設ける一方、前記一方の受け部材及び回転止め部の間に前記凹部及び凸部を隠す周壁を設けことが好ましい。
【０００８】
この様にすることで、アームに対するメモ台受けの回転は凸部が凹部の両端の壁面に度当たりする範囲に制限される。即ち、凸部を凹部の両端の壁面から成るストッパ部に度当たりさせることで、天板を上げた位置及び倒した位置に止めることが出来る。凸部及び凹部は天板の上げ下ろしによって指等を挟む虞のある凹凸となるが、凸部及び凹部はメモ台受けとアームの対向する位置に設けられてこれらの間に隠されており、また、周壁によっても隠されるで、指等を挟む虞がある凹凸は外に露出することがない。
【０００９】
【発明の実施の形態】
以下、本発明の構成を図面に示す最良の形態に基づいて詳細に説明する。
【００１０】
図１〜図４に本発明を適用した椅子のメモ台取付構造の実施形態の一例を示す。このメモ台取付構造１は、メモ台２が取り付けられるメモ台受け３を椅子本体側に固定されるアーム４に回転可能に取り付けるものであって、メモ台受け３とアーム４のいずれか一方に間隔をあけて設けられた一方の受け部材７及び回転止め部８と、メモ台受け３とアーム４のいずれか他方に設けられ且つ一方の受け部材７と回転止め部８の間に配置される他方の受け部材９と、一方の受け部材７と他方の受け部材９を貫通してこれら一方の受け部材７と他方の受け部材９を挟むように締め付けるボルト５及びナット６と、回転止め部８に設けられ且つボルト５の頭部５ａ又はナット６の側面５ｂ，６ａに当たって当該ボルト５又はナット６の回転を阻止する当たり面１１を備えたものである。
【００１１】
本実施形態では、メモ台受け３に一方の受け部材７と回転止め部８を、アーム４に他方の受け部材９を設けている。一方の受け部材７及び回転止め部８は例えばブラケットによって構成されており、一方の受け部材７にはボルト５が貫通する丸孔７ａが、回転止め部８にはボルト５の頭部５ａとほぼ同じ大きさの六角孔８ａが設けられている。この六角孔８ａはボルト５の回転を阻止するものであり、六角孔８ａの周囲の面が当たり面１１となっている。ボルト５は六角孔８ａ側から挿入されて一方の受け部材７の外側でナット６によって締め付けられている。即ち、一方の受け部材７と他方の受け部材９とがボルト５及びナット６によって挟み付けられるようにして締め付けられている。また、他方の受け部材９は例えば円筒形状のボスによって構成されており、アーム４の先端に例えば溶接されている。アーム４は、例えば図示しない脚フレームや座部等の椅子本体側に固定されている。なお、メモ台受け３は、メモ台２の所定位置に例えばねじ止めされている。
【００１２】
一方の受け部材７と他方の受け部材９の間には、例えばポリアセタール等の樹脂によって成形されたワッシャ１０が挟み込まれている。このワッシュ１０は他方の受け部材９の端面に形成された凹部に填め込まれることによって保持されている。また、回転止め部８と他方の受け部材９の間には、例えばスチール製のワッシャ１２が挟み込まれている。これらのワッシャ１０，１２を挟み込むことで、ボルト５及びナット６によって各取付部７，９を強く締め付けながら、一方の受け部材７と他方の受け部材９の間及び他方の受け部材９とボルト５の頭部５ａの間の相対回転を可能にしている。
【００１３】
また、本発明のメモ台取付構造では、メモ台受け３とアーム４の対向する位置のいずれか一方に凹部１３を、いずれか他方に凹部１３内に突出する凸部１４を設け、当該凸部１４が凹部１３内で相対移動できる範囲でメモ台受け３をアーム４に対して回転可能にすると共に凹部１３の両端に凸部１４が当接して係止されるストッパ部１８をそれぞれ設けている。また、メモ台受け３には凹部１３及び凸部１４を隠す周壁１５を設け、当該周壁１５の一部を一方の受け部材７及び回転止め部８としている。
【００１４】
本実施形態では、アーム４の他方の受け部材９の両端にそれぞれ凹部１３を、メモ台受け３の一方の受け部材７の内側近傍と回転止め部８の内側近傍に凸部１４をそれぞれ設けている。各凹部１３は他方の受け部材９の周方向に沿って形成されており、メモ台受け３のボルト５を中心にした回転範囲を各凸部１４が各凹部１３に対して移動できる範囲に制限している。即ち、メモ台２の回転は、図３に実線で示すメモ台２を上げた位置と二点鎖線で示すメモ台２を水平に倒した位置との間に両端のストッパ部１８で制限されている。
【００１５】
なお、メモ台２が倒れたときに凸部１４が当接する凹部１３の一方の端面から成るストッパ部１８には外部から調整可能な調整ねじ１６が設けられている。この調整ねじは、その先端が凹部１３内に突出してメモ台受け３の度当たり位置を調整してメモ台２を水平にすることができる。
【００１６】
周壁１５は、例えば一方の受け部材７及び回転止め部８と、一方の受け部材７及び回転止め部８の内側（図３の上側）を塞ぐ第１の目隠し壁１５ａと、一方の受け部材７及び回転止め部８の外側（図３の下側）をそれぞれ塞ぐ第２及び第３の目隠し壁１５ｂ，１５ｃより構成され、これらはメモ台受け３に一体成形されている。ここで、一方の受け部材７及び回転止め部８の外側を第２の目隠し壁１５ｂと第３の目隠し壁１５ｃに分割しているのは、メモ台２を上げた場合にアーム４との干渉を回避するためである。周壁１５は他方の受け部材９との間に指を挟まない程度に他方の受け部材９に接近して設けられており、各凹部１３と各凸部１４は外に対して周壁１５の内側に隠れている。
【００１７】
アーム４にメモ台受け３を回転可能に取り付けるには、先ず、メモ台受け３の一方の受け部材７と回転止め部８の間にアーム４の他方の受け部材９を配置すると共に、一方の受け部材７と他方の受け部材９の間に樹脂ワッシャ１０を、回転止め部８と他方の受け部材９の間にスチールワッシャ１２をそれぞれ挟み込む。そして、これらの孔を揃えながら回転止め部８側からボルト５を挿入し、これらを貫通して一方の受け部材７の外側に突出したボルト５の先端にナット６を締め付ける。このとき、ボルト５の頭部５ａは回転止め部８の六角孔８ａ内において軸方向に移動することができるので、スチールワッシャ１２を介して他方の受け部材９を締め付けることになる。即ち、回転止め部８をボルト５によって締め付けることはなく、一方の受け部材７と他方の受け部材９をボルト５及びナット６によって挟み付けるようにして締結することになり、強く締め付けることで各取付部７，９の相対回転に対して大きな抵抗力を発生させることができる。このため、持ち上げていたメモ台２が振動等の外力を受けて勢い良く倒れるのを防止することができ、安全性が向上する。また、水平に倒しているメモ台２が振動等によってばた付くのを防止することもできる。さらに、各取付部７，９の相対回転に対する大きな抵抗力がメモ台２を上げ下ろしする場合の適度な反力となるので、使い心地が向上し使用者に高級感（グレード感）を感じさせることが出来る。
【００１８】
また、メモ台２を上げ下げするためにアーム４に対してメモ台受け３を回転させると、ボルト５の頭部５ａは回転止め部８の当たり面１１によって相対回転を阻止されるので当該ボルト５はメモ台受け３と一体的に回転する。また、ナット６は一方の受け部材７を締め付けることでこれに摩擦係合している。これらのため、ボルト５及びナット６はメモ台受け３と一体的に回転する。即ち、メモ台受け３を回転させてもボルト５とナット６は一体的に回転するので、これらが緩むことがない。このため、メモ台２の上げ下げによってボルト５とナット６が緩むことがなく、一方の受け部材７と他方の受け部材９の強い締め付け状態が維持される。
【００１９】
さらに、メモ台受け３の回転角度を制限する凹部１３と凸部１４をメモ台受け３とアーム４の対向する位置、換言するとメモ台受け３とアーム４の間の隙間に面して形成しており、また、他方の受け部材９を囲むように周壁１５を形成しているので、指を挟むような凹凸を外に対して隠すことができる。このため、安全性に優れており、また、デザイン的にも優れたものとなる。
【００２０】
なお、上述の形態は本発明の好適な形態の一例ではあるがこれに限定されるものではなく本発明の要旨を逸脱しない範囲において種々変形実施可能である。例えば、上述の説明では、メモ台受け３に一方の受け部材７と回転止め部８を、アーム４に他方の受け部材９を設けているが、アーム４側に一方の受け部材７と回転止め部８を、メモ台受け３側に他方の受け部材９を設けるようにしても良い。
【００２１】
また、上述の説明では、ボルト５を回転止め部８の六角孔８ａから挿入して一方の受け部材７の外側でナット６を締め付けるようにしていたが、ボルト５を一方の受け部材７の丸孔７ａから挿入して回転止め部８の六角孔８ａ内に挿入したナット６にねじ込むようにしても良い。
【００２２】
また、上述の実施形態では、回転止め部８に六角孔８ａを設けてこの周囲の面を当たり面１１とし回転軸たるボルトを一方の受け部材７との間で両端支持するようにしているが、一方の受け部材７を片持ち支持に十分耐えうる強度のものとする場合には、回転止め部８はボルト５の頭部５ａ（あるいはナット）の回転を阻止するに足る形状であれば良く、ボルト５を支持する構造とする必要はない。例えば、図５に示すように、回転止め部８に六角孔８ａに代えてボルト５の頭部５ａが嵌まる溝２０を設け、当該溝２０の奥側の周面を当たり面１１としても良い。この場合、一方の受け部材７と回転止め部８の間に他方の受け部材９を挿入する方向（図中上方向）に向けて溝２０を形成することで、組立作業を容易にすることができる。
【００２３】
また、上述の説明では、アーム４に凹部１３を、メモ台受け３に凸部１４を設けていたが、メモ台受け３に凹部１３を、アーム４に凸部１４を設けても良い。
【００２４】
また、上述の説明では、回転軸となるボルト５及びナット６として、六角ボルト５及び六角ナット６を使用していたが、例えば四角ボルト５及び四角ナット等を使用しても良い。また、図６に示すように、六角又は四角穴付きボルト１７に六角又は四角ナット１９を締め付けておいたものを使用しても良い。なお、本明細書において、ボルトの意味にはねじをも含んでいる。
【００２５】
また、上述の説明では、ボルト５及びナット６によって各取付部７，９を締め付けることでメモ台受け３の回転抵抗を増加させてメモ台２が勢い良く倒れるを防止すると共に、周壁１５を設けて凸部１４及び凹部１３を隠すようにすることでメモ台受け３とアーム４の間に指を挟むのを防止しているが、これらを同時に施す必要はなく、いずれか一方のみを施しても良い。
【００２６】
【発明の効果】
以上説明したように、請求項１記載の椅子のメモ台取付構造によると、ボルトを中心に回転する一方の受け部材と他方の受け部材とをボルト及びナットで強く締め付けることが出来る。このため、一方の受け部材と他方の受け部材の回転に対して大きな抵抗力を発生させることができ、天板をゆっくりと回転させることができる。このため、メモ台が勢い良く倒れるのを効果的に防止することができて安全性が向上する。また、水平に倒しているメモ台が振動等によってばた付くのを効果的に防止することもできる。さらに、一方の受け部材と他方の受け部材の回転に対する抵抗力が天板を上げ下げする場合の適度な反力となるので、使い心地が向上し使用者に高級感（グレード感）を感じさせることが出来る。加えて、天板を繰り返し上げ下げしても、ボルトとナットは一方の受け部材及び回転止め部と一体的に回転するので、緩みが生じすることがなく、いつまでもメモ台の回転に好適な摩擦力を与え続けることができる。
【００２７】
さらに、請求項２記載の椅子のメモ台取付構造によると、凸部を凹部の両端の壁面に度当たりさせて天板を止めることが出来る。また、凸部及び凹部は天板の上げ下ろしによって指等を挟む虞のある凹凸となるが、凸部及び凹部をメモ台受けとアームの間に隠し、また周壁によっても隠しているので、指等を挟む虞がある凹凸の外への露出を効果的に防止することができる。
【図面の簡単な説明】
【図１】本発明の椅子のメモ台取付構造の実施形態の一例を示し、ボルトの軸に沿う方向の断面図である。
【図２】図１の椅子のメモ台取付構造のボルトの軸に直交する方向の断面図である。
【図３】図１の椅子のメモ台取付構造の回転止め部を外側からみた側面図である。
【図４】図１の椅子のメモ台取付構造の斜視図である。
【図５】本発明の椅子のメモ台取付構造の他の実施形態を示し、その回転止め部を内側からみた断面図である。
【図６】本発明の椅子のメモ台取付構造の更に他の実施形態を示し、六角ボルトに代えて六角穴付きボルトに六角ナットを締め付けたものの使用を説明するための図である。
【図７】従来の椅子のメモ台取付構造の斜視図である。
【図８】従来の椅子のメモ台取付構造の側面図である。
【図９】従来の椅子のメモ台取付構造を示し、アームにメモ台受けを取り付ける様子を示す分解斜視図である。
【符号の説明】
１  メモ台
２  天板
３  メモ台受け
４  アーム
５  ボルト
５ａ  頭部
６  ナット
７  一方の受け部材
８  回転止め部
９  他方の受け部材
１１  当たり面
１３  凹部
１４  凸部
１５  周壁
【図１】
0004176218.tif 000002
【図２】
0004176218.tif 000003
【図３】
0004176218.tif 000004
【図４】
0004176218.tif 000005
【図５】
0004176218.tif 000006
【図６】
0004176218.tif 000007
【図７】
0004176218.tif 000008
【図８】
0004176218.tif 000009
【図９】
0004176218.tif 000010